(57)【要約】      （修正有）【課題】乳癌で乳房温存法による手術をした被着者一人ひとりに合った乳房の形を形成し、容易に着用できるような義乳房パッド及び該パッドを挿入し得るブラジャーを提供する。【解決手段】ブラジャー１０Ａの左右のカップ部１１ａ，１１ｂは、内面側に義乳房パッド２０を挿入自在であり、該パッド２０は、シリコンからなる弾性体と、弾性体を包むサポート体と、サポート体を覆うカバー体の３層構造である。弾性体は被着者が切除した乳房の原形を模るように形状、硬さ、および重さが被着者に合わせて形成自在であるので、本義乳房パッド２０を挿入したブラジャー１０Ａを着用した被着者は、左右の乳房のバランスが整い、周囲にも乳房を切除したことがわからないようにすることができる。【選択図】図１
0003118227.tif 000002
【実用新案登録請求の範囲】
【請求項１】
被着者の乳房を覆う左右のカップ部と、
前記左右のカップ部の外側に隣接して縫着され、着用時に被着者の脇下を通り、背中側で連結して乳房を支持する左右の連結支持部と、
長さ調節自在な紐体の両端部が、前記左右のカップ部の上方側から前記左右の連結支持部の上方側に縫着され、着用時に被着者の肩に掛止して乳房を吊上する左右ストラップ部と、を有するブラジャーにおいて、
前記左右のカップ部は、内面側に義乳房パッドを挿入自在であり、
前記義乳房パッドは、シリコンからなる核層と、柔軟材からなり前記核層を包む中間層と、衣料生地からなり前記中間層の外側を覆う外郭層からなり、かつ、被着者が切除した乳房の原形を模るように前記核層の形状、硬さ、及び重さの少なくとも一つが形成自在である、
ことを特徴とするブラジャー。
【請求項２】
前記左右のカップ部は、内面側に前記義乳房パッドを挿入し得るポケットを有する、
ことを特徴とする請求項１に記載のブラジャー。
【請求項３】
前記左右のカップ部は、内面側に前記義乳房パッドを縫合自在である、
ことを特徴とする請求項１に記載のブラジャー。
【請求項４】
前記左右の連結支持部は、前記左右のカップ部との隣接部分から長手方向に前記ストラップ部との縫着部分までの上下幅が拡幅するように、前記縫着部分が山形に形成されてなる、
ことを特徴とする請求項１ないし３に記載のブラジャー。
【請求項５】
ブラジャーの左右のカップ部に装着される義乳房パッドであって、
少なくとも形状、硬さ、及び重さの一つが異なるシリコン塊から選択され、かつ、被着者が切除した乳房の原形を模るように形成される核層と、
柔軟材からなり、前記核層を包む中間層と、
衣料生地からなり、前記中間層の外側を覆う外郭層と、を備えてなる、
ことを特徴とする義乳房パッド。
【考案の詳細な説明】
【技術分野】
【０００１】
本考案は、乳癌等で乳房を切除した患者の左右の乳房のバランスを保つと共に、外見上、健常の胸元と違和感のない胸元に見せることを目的とするブラジャー及び義乳房パッドに関する。
【背景技術】
【０００２】
一般に、乳癌の手術において、患者（なお、文脈に応じて適宜「人」，「被着者」，「女性」と使い分けるが、これらはすべてほぼ同じ内容を意味している。）の乳房を全部切除して癌細胞を摘出する方法、または乳房の形が極端に崩れないような範囲で乳癌の部位のみを摘出する方法いわゆる乳房温存法が知られている。
【０００３】
上記のような手術をした患者の中には、たとえ手術が成功した場合であっても、精神的苦痛や肉体的苦痛が残る人も多い。女性の象徴である乳房を無くしたという喪失感で落ち込んだり、悩んだりする精神的苦痛や、左右の乳房の形のバランスが異なってしまうことから、姿勢が悪くなったり、肩こりを起こしたりする肉体的苦痛である。
【０００４】
このような背景から、ブラジャーや上半身下着の内面側にパッドや綿などを挿入して左右の乳房の形のバランスを整え、また周囲からも乳房を切除したことがわからないようにしている患者が多い。
【０００５】
すなわち、乳房を切除した人のうち、特に、乳房を全て切除した人は、乳房そのものの形状を模倣した大きなお椀形のパッド等をブラジャーや上半身下着の内面側に挿入して乳房の形を整えるようにしている。
【０００６】
一方、乳房温存法で乳房の一部を切除した人は、ブラジャー等の内面側に適量の綿などを詰めたり、専用の下着（例えば、特許文献１参照）を着用したりして、切除された部分を補うようにして乳房の形を整えるようにしている。
【０００７】
特許文献１の下着では、切除手術した胸部位置にＡカップからＦカップ位までのサイズの義乳房パッドを収納できる複数個のポケットを上半身下着の内面側に配置し、当該ポケットに大中小の義乳房パッドを必要な箇所のポケットに組み合わせて挿入し、乳房の形を整えることができるようになっている。
【０００８】
ところで、医療技術のめざましい進歩と共に、癌細胞の摘出に際して、切除しなければならない部位がどんどん小さくなっている。このことと、少しでも多く乳房を残したいという女性の願望とが相俟って、最近では、乳房温存法が主流となってきており、上述のように、切除された部分を補うようにブラジャーの内面側に綿やパッドを挿入したり、専用の下着を着用したりしている女性が増えてきている。
【０００９】
【特許文献１】特開２００４−３３２１３４号公報
【考案の開示】
【考案が解決しようとする課題】
【００１０】
しかしながら、上記特許文献１に記載のような下着では、パッドの大きさ・挿入場所を複数の選択肢から選ぶことができるものの、癌の進行状態によって乳房を切除する部分や量には個人差があるため、限られた選択肢では、患者一人ひとりに合った形に形成できない虞があった。
【００１１】
また、綿などを詰めるだけでは、乳房特有の弾力性を再現できなかったり、形崩れし易かったりすることから、長時間にわたって乳房の形を維持することが困難であったり、毎回綿の量や詰める位置を調整する必要があることから、その作業が煩雑であったりした。
【００１２】
そこで、本考案は、被着者一人ひとりに合った乳房の形を形成できると共に、長時間にわたって乳房の形状を維持することができ、しかも気軽に使用することができる義乳房パッド及び該パッドを備えたブラジャーを提供することを目的とする。
【課題を解決するための手段】
【００１３】
上記課題を解決するため、請求項１に係る本考案は（例えば図１ないし図３参照）、被着者の乳房を覆う左右のカップ部（１１ａ，１１ｂ）と、
前記左右のカップ部（１１ａ，１１ｂ）の外側に隣接して縫着され、着用時に被着者の脇下を通り、背中側で連結して乳房を支持する左右の連結支持部（１２ａ，１２ｂ）と、
長さ調節自在な紐体の両端部が、前記左右のカップ部（１１ａ，１１ｂ）の上方側から前記左右の連結支持部の上方側に縫着され、着用時に被着者の肩に掛止して乳房を吊上する左右ストラップ部（１３ａ，１３ｂ）と、を有するブラジャーにおいて、
前記左右のカップ部（１１ａ，１１ｂ）は、内面側に義乳房パッド（２０）を挿入自在であり、
前記義乳房パッド（２０）は、シリコンからなる核層（２０ａ）と、柔軟材からなり前記核層（２０ａ）を包む中間層（２０ｂ）と、衣料生地からなり前記中間層（２０ｂ）の外側を覆う外郭層（２０ｃ）からなり、かつ、被着者が切除した乳房の原形を模るように前記核層（２０ａ）の形状、硬さ、及び重さの少なくとも一つが形成自在である、
ことを特徴とするブラジャー（１０Ａ）にある。
【００１４】
請求項２に係る本考案は（例えば図１ないし図３参照）、前記左右のカップ部（１１ａ，１１ｂ）は、内面側に前記義乳房パッド（２０）を挿入し得るポケット（１５）を有する、
ことを特徴とする請求項１に記載のブラジャー（１０Ａ）にある。
【００１５】
請求項３に係る本考案は（例えば図１ないし図４参照）、前記左右のカップ部（１１ａ，１１ｂ）は、内面側に前記義乳房パッド（２０）を縫合自在である、
ことを特徴とする請求項１に記載のブラジャー（１０Ｂ）にある。
【００１６】
請求項４に係る本考案は（例えば図１ないし図４参照）、前記左右の連結支持部（１２ａ，１２ｂ）は、前記左右のカップ部（１１ａ，１１ｂ）との隣接部分から長手方向に前記ストラップ部（１３ａ，１３ｂ）との縫着部分（１４ａ，１４ｂ）までの上下幅が拡幅するように、前記縫着部分が山形に形成されてなる、
ことを特徴とする請求項１ないし３に記載のブラジャー（１０Ａ，１０Ｂ）にある。
【００１７】
請求項５に係る本考案は（例えば図１ないし図４参照）、ブラジャー（１０Ａ，１０Ｂ）の左右のカップ部（１１ａ，１１ｂ）に装着される義乳房パッドであって、
少なくとも形状、硬さ、及び重さの一つが異なるシリコン塊から選択され、かつ、被着者が切除した乳房の原形を模るように形成される核層（２０ａ）と、
柔軟材からなり、前記核層を包む中間層（２０ｂ）と、
衣料生地からなり、前記中間層の外側を覆う外郭層（２０ｃ）と、を備えてなる、
ことを特徴とする義乳房パッド（２０）にある。
【００１８】
なお、上記カッコ内の符号は、図面と対照するためのものであるが、これは、考案の理解を容易にするための便宜的なものであり、実用新案登録請求の範囲の構成に何等影響を及ぼすものではない。
【考案の効果】
【００１９】
請求項１に係る本考案によると、左右のカップ部は、被着者が切除した乳房の原形を模るように核層の形状・硬さ・重さの少なくとも一つが形成自在である義乳房パッドを、内面側に挿入自在であるので、義乳房パッドの着用が簡単で、かつ一人ひとりに合った乳房を違和感なく再現することができると共に、左右の乳房の形のバランスを整え、正しい姿勢を保つことで、肩こり等も防ぐことができる。また、該義乳房パッドは、シリコンからなる核層と、柔軟材からなり核層を包む中間層と、衣料生地からなり中間層の外側を覆う外郭層からなり、乳房特有の弾力性を有し、維持するので、周囲からも乳房が切除したことがわからなくすることができ、長時間の着用でも形崩れを防ぐことができる。
【００２０】
請求項２に係る本考案によると、義乳房パッドを挿入し得るポケットが左右のカップ部の内面側に装着されていることにより、被着者に合わせて位置決めすることができ、簡単に義乳房パッドをブラジャーに挿入することができる。また、１つの義乳房パッドで複数のブラジャーに対応することができ、経済的である。さらに、被着者の好みのブラジャーに該ポケットを装着すれば、被着者はブラジャーを自由に選ぶ楽しみができる。
【００２１】
請求項３に係る本考案によると、内面側に義乳房パッドを縫合自在であるので、ブラジャーを着用する度に義乳房パッドを挿入する手間を省くことができ、被着者は通常のブラジャーを着用する感覚で本ブラジャーを着用できる。また、１つのブラジャーに対して１つの義乳房パッドを一体化することで、義乳房パッドの使い回しを防ぎ、義乳房パッドを長持ちさせることができる。さらに、被着者の好みのブラジャーに義乳房パッドを縫合すれば、被着者はブラジャーを自由に選ぶ楽しみができる。
【００２２】
請求項４に係る本考案によると、左右の連結支持部は、左右のカップ部との隣接部分から長手方向にストラップ部との逢着部分までの上下幅が拡幅するように、該縫着部分が山形に形成されてなり、身体と密着する部分を大きくし、背中や脇下の脂肪・筋肉を支持するように連結するので、左右の乳房の形のバランスを整え、正しい姿勢を保つことで肩こり等を防ぐと共に、乳房の形を良く見せることができる。
【００２３】
請求項５に係る本考案によると、核層は、少なくとも形状、硬さ、及び重さの一つが異なるシリコン塊から選択され、かつ、被着者が切除した乳房の原形を模るように形成されてなるので、乳房特有の弾力性、及び一人ひとりに合った乳房の形を忠実に再現することができる。また、中間層は、綿などの柔軟材からなり、核層を包むので、流動性を有する核層の形崩れを防ぐことができる。さらに、外郭層は、衣料生地からなり、中間層を包むので、通常の洋服と同様に人体に触れることができる。
【考案を実施するための最良の形態】
【００２４】
以下、本考案を実施するための最良の形態について、図面を用いて詳細に説明する。
【００２５】
＜第１の実施の形態＞
以下、本考案に係る第１の実施の形態を図１ないし図３に沿って説明する。図１は本実施の形態に係るブラジャーを示す正面図、また図２は本実施の形態に係るブラジャーを示す背面図、そして図３（ａ），（ｂ）は本実施の形態に係る義乳房パッドを示す図であって、このうち（ａ）は被着者の乳房の形に合うように形成された義乳房パッドを示す正面図、（ｂ）は義乳房パッドの断面図である。
【００２６】
図１および図２に示すように、本考案に係るブラジャー１０Ａ及び義乳房パッド２０は、乳癌で乳房温存法による手術をした女性が切除した一部分を補うために着用するに好適であり、ブラジャー１０Ａは、乳房をそれぞれ覆う左のカップ部１１ａと右のカップ部１１ｂと、左の連結バンド（左の連結支持部）１２ａと右の連結バンド（右の連結支持部）１２ｂと、左のストラップ部１３ａと右のストラップ部１３ｂとを備え、さらにポケット１５と、義乳房パッド２０を備えている。なお、以下の説明においては、ブラジャー１０Ａの各構成要素等について「左右」とは、被着者が着用した状態のブラジャー１０Ａの「左右」のことをいう。これによると、図１の正面図においては、実際とは左右が逆になる。
【００２７】
左にカップ部１１ａと右のカップ部１１ｂ（以下適宜「左右のカップ１１ａ，１１ｂ」のように記す。他の部材等についても同様である。）は、左右それぞれの乳房を覆うためのもので、椀状に形成されている。左右のカップ部１１ａ，１１ｂは、被着者の乳房の大きさに合わせて複数種類から選択可能になっている。
【００２８】
左右の連結バンド１２ａ，１２ｂは、着用時に、被着者の脇下を通り、背中側で連結できるよう、それぞれの先端には連結具１７ａ，１７ｂが備えられている。また、左右のカップ部１１ａ，１１ｂとの隣接部分から長手方向に左右のストラップ部１２ａ，１２ｂとの縫着部分１４ａ，１４ｂまでの上下幅が拡幅するように、縫着部分１４ａ，１４ｂが山形に形成されており、連結バンド１２ａ，１２ｂ全体の上下幅も通常のものよりも太め（例えば１０ｃｍ程度）に形成されている。これにより、被着者の身体と密着する部分が大きくなり、乳房及び背中や脇下の筋肉を支持し易い構造になっている。
【００２９】
左右のストラップ部１３ａ，１３ｂは、それぞれ長さ調節自在な紐状の部材（紐体）によって形成されている。それぞれの紐体は、その一端が左右のカップ部１１ａ，１１ｂの上端側に縫着され、また他端が左右の連結バンド１２ａ，１２ｂの上端側に縫着され、そしてブラジャー１０Ａの装着時には、中間部が被着者の左右の肩に掛かるように構成されている。これら左右のストラップ部１３ａ，１３ｂは、ブラジャー１０Ａが被着者に着用された際には、左右のカップ部１１ａ，１１ｂを吊り上げることにより、左右のカップ部１１ａ，１１ｂを介して左右の乳房を吊り上げる。
【００３０】
左右のカップ部１１ａ，１１ｂの内面側には、ポケット１５が装着されており、義乳房パッド２０が挿入自在になっている。該ポケット１５は、一人ひとりに合わせて、大きさや個数、装着位置等は自由に設計できる。また、ポケット１５は、底部が下側にあり、上側には開口部を有する。この開口部は傾斜していて、その傾斜は、左のポケットでは左端側に傾斜しており、右のポケットでは右端側が傾斜している。これはブラジャーを着用した状態で、義乳房パッドを、左のポケットに対して左手で、また右のポケットに対して右手で簡単に挿脱できるようにするためである。
【００３１】
また、本ブラジャー１０Ａに挿入し得る義乳房パッド２０は、シリコンからなる弾性体（核層）２０を綿等の柔軟材からなるサポート体（中間層）２０ｂで包み、さらにサポート体２０ｂを衣料用生地からなるカバー体（外郭層）２０ｃで包んだ３層構造である。
【００３２】
弾性体２０ａは、義乳房パッド２０ａの中核を構成する。弾性体２０ａは、被着者の切除前の乳房に近い形状・硬さ・重さになるように、シリコンの原液を混合し、この原液を乳房の形をした型に流し込んで固め、それを更に被着者一人ひとりに合わせた形に切り落とし、乳房の形を形成したものである。
【００３３】
サポート体２０ｂは、ポリエステル綿からなり、流動性を有するシリコンからなる弾性体２０ａの形が変形しないよう支持するように包んでいる。そして、カバー体２０ｃは、吸放湿性・速乾性に富んだ衣料生地を使用している。このため、被着者がカバー体２０ｃに触れたときには、通常の衣服と同様な違和感のない感触を得ることができる。
【００３４】
被着者が本ブラジャー１０Ａ及び義乳房パッド２０を着用する際は、まず、義乳房パッド２０をブラジャー１０Ａの内面側に装着されているポケット１５に挿入し、その状態でストラップ部１３ａ，１３ｂを被着者の肩に掛止し、連結ベルト１２ａ，１２ｂを脇下に通して、脇下や背中の脂肪・筋肉を軽く締め付けるようにして背中側で連結具１７ａ，１７ｂで留める。
【００３５】
したがって、被着者が、本ブラジャー１０Ａ及び義乳房パッド２０を着用すると、一人ひとりの乳房の形や弾力性を忠実に再現することができ、周囲の人に乳房を切除したことがわからないように、美しく見せることができる。
【００３６】
さらに、左右の乳房の形のバランスが整い、脇下や背中の脂肪・筋肉も上方に支持されるので、姿勢が悪くなるのを防ぎ、肩こり等も防止することができる。
【００３７】
また、ポケット１５を有するので、義乳房パッド２０をブラジャー１０Ａの適宜の位置に簡単に着脱可能になり、更に、義乳房パッド２０は１セット（以下、本実施の形態では１つのブラジャーに挿入し得るすべての義乳房パッドの個数をまとめて１セットとする。なお、人によっては単数の場合もあるが、同じく１セットとする。）のみで、複数のブラジャーに対応することができ、経済的である。
【００３８】
本ブラジャー１０Ａを着用するのが最も効果的だが、被着者が愛用しているブラジャーに該ポケット１５のみを備え付け、義乳房パッド２０を挿入するという代替手段も可能であり、これにより、被着者が一度にブラジャーを買い替える必要がなくなる。
【００３９】
なお、本実施の形態では、図２に示したように、義乳房パッド２０は、左右両方のカッブ部１１ａ，１１ｂの双方に挿入しているが、これに限らず、被着者の切除状態によって片方のみでもよい場合がある。
【００４０】
＜第２の実施の形態＞
つづいて、図４を参照して、上述の第１の実施の形態を一部変更した第２の実施の形態を説明する。図４は本実施の形態に係るブラジャーを示す背面図である。なお、本第２の実施の形態において第１の実施の形態と同様な部分は、同一符号を付してその説明を省略する。
【００４１】
すなわち、図４に示すように、本ブラジャー１０Ｂは、前述のブラジャー１０Ａと同様に、乳癌で乳房温存法による手術をした女性が切除した一部分を補うために着用するに好適であり、ブラジャー１０Ａのカップ部１１ａ，１１ｂの内面側に装着されているポケット１５のみを外し、前述の義乳房パット２０を左右のカップ部１１ａ，１１ｂの内面側に縫合して一体化させたものである。
【００４２】
被着者が本ブラジャー１０Ｂ及び義乳房パッド２０を着用する際は、ストラップ部１３ａ，１３ｂを被着者の肩に掛止し、連結ベルト１２ａ，１２ｂを脇下に通して、脇下や背中の脂肪・筋肉を軽く締め付けるようにして背中側で連結具１７ａ，１７ｂで留める。
【００４３】
したがって、被着者が本ブラジャー１０Ｂ及び義乳房パッド２０を着用すると、前述の効果と同様、一人ひとりの乳房の形を忠実に再現することができ、周囲の人に乳房を切除したことがわからないように、美しく見せることができる。
【００４４】
さらに、左右の乳房の形のバランスが整い、脇下や背中の脂肪・筋肉も上方に支持されるので、姿勢が悪くなるのを防ぎ、肩こり等も防止することができる。
【００４５】
また、義乳房パッド２０がカップ部１１ａ，１１ｂに縫合されているので、事前に準備をする必要がなく、ただブラジャー１０Ｂを着用するというワンステップの動作のみで簡単に義乳房パッド２０を着用できる。
【００４６】
また、ブラジャー１０Ｂを着用する度に義乳房パッド２０を挿入することなく、１つのブラジャーに対して１セットの義乳房パッド２０を一体化させるので、義乳房パッド２０の使い回しで洗濯による劣化等を防ぎ、長持ちさせることができる。
【００４７】
本ブラジャー１０Ｂを着用するのが最も効果的だが、被着者が愛用しているブラジャーに義乳房パッド２０を縫合するという代替手段も可能であり、これにより、被着者が一度にブラジャーを買い替えなくてもよくすることができる。
【００４８】
なお、本実施の形態では、図４に示したように、義乳房パッド２０は、左右両方のカッブ部１１ａ，１１ｂの双方に縫合しているが、これに限らず、被着者の切除状態によって片方のみでもよい場合がある。
【００４９】
以上、本考案をその好適な各実施の形態に基づいて説明したが、本考案のブラジャー１０Ａ，１０Ｂ、及び義乳房パッド２０は、上述の各実施の形態の構成にのみ限定されるものではなく、上述の実施の形態の構成から種々の修正及び変更を施したものに用いられるものも、本考案の請求の範囲に含まれる。
【図面の簡単な説明】
【００５０】
【図１】本実施の形態に係るブラジャーを示す正面図である。
【図２】第１の実施の形態に係るブラジャーを示す背面図である。
【図３】本実施の形態に係る義乳房パッドを示す図で、（ａ）は被着者の乳房の形に合うように形成された義乳房パッドを示す正面図、（ｂ）は義乳房パッドの断面図である。
【図４】第２の実施の形態に係るブラジャーを示す背面図である。
【符号の説明】
【００５１】
１０Ａ    ブラジャー
１０Ｂ    ブラジャー
１１ａ    左のカップ部
１１ｂ    右のカップ部
１２ａ    左の連結支持部（左の連結バンド）
１２ｂ    右の連結支持部（右の連結バンド）
１３ａ    左のストラップ部
１３ｂ    右のストラップ部
１４ａ    左の縫着部分
１４ｂ    右の縫着部分
１５      ポケット
２０      義乳房パッド
２０ａ    核層（弾性体）
２０ｂ    中間層（サポート体）
２０ｃ    外郭層（カバー体）
【図１】
0003118227.tif 000003
【図２】
0003118227.tif 000004
【図３】
0003118227.tif 000005
【図４】
0003118227.tif 000006